(57)【要約】      （修正有）【課題】温水供給先（用途）が複数ある給湯システム等において、通常の混合弁を複数個使用する場合に比して部品点数を削減でき、かつ、逆流（漏れ）防止用の逆止弁を配置するにあたり、加工組立工数や部品点数を削減することのできる複連式混合弁装置を提供する。【解決手段】水流入口２１を有する管状水室１１及び湯流入口を有する管状湯室１２が横並びに連設されるとともに、管状水室１１及び／又は管状湯室１２に逆止弁８０が配在される。逆止弁８０は、管状水室１１及び／又は管状湯室１２に配在された弁座８２と、該弁座８２に接離する弁体８３と、該弁体８３を保持する弁棒８５と、該弁棒８５が摺動自在に嵌挿される筒状ガイド部８６と、閉弁ばね８８と、を備え、管状水室１１及び／又は管状湯室１２の端部開口を閉塞する蓋状部材７０に前記逆止弁８０の筒状ガイド部８６とその支持部７８が一体的に設けられている。【選択図】図６
2014077516.tif 000002
【特許請求の範囲】
【請求項１】
水流入口を有する管状水室及び湯流入口を有する管状湯室が横並びに連設されるとともに、前記管状水室と管状湯室との間に水と湯の混合比率を調整するためのロータリー式の第１弁体及び第２弁体がそれぞれ個別に回動可能に嵌挿され、かつ、前記第１弁体によりその温度が調整された温水を外部に送るための第１流出口と前記第２弁体によりその温度が調整された温水を外部に送るための第２流出口とが設けられるとともに、前記管状水室及び／又は管状湯室に逆止弁が配在されている複連式混合弁装置であって、
前記逆止弁は、前記管状水室及び／又は管状湯室に配在された弁座と、該弁座に接離する弁体と、該弁体を保持する弁棒と、該弁棒が摺動自在に嵌挿される筒状ガイド部と、前記弁棒に保持された弁体を前記弁座に押し付ける方向に付勢する圧縮コイルばねからなる閉弁ばねと、を備え、
前記管状水室及び／又は管状湯室の端部開口を閉塞する蓋状部材に前記逆止弁の筒状ガイド部とその支持部が一体的に設けられていることを特徴とする複連式混合弁装置。
【請求項２】
前記蓋状部材は、前記管状水室及び管状湯室の両方の端部開口を一緒に閉塞すべく２つの蓋部が一体に連設されており、該２つの蓋部にそれぞれ前記筒状ガイド部とその支持部が一体的に設けられていることを特徴とする請求項１に記載の複連式混合弁装置。
【請求項３】
前記管状水室及び／又は管状湯室に、前記水流入口からの水又は前記湯流入口からの湯が流入する円筒状の弁室が形成され、該弁室の少なくとも一端部に前記逆止弁の弁座が設けられていることを特徴とする請求項１又は２に記載の複連式混合弁装置。
【請求項４】
前記管状水室と管状湯室は、共に直管状とされて相互に平行に配置されていることを特徴とする請求項１から３のいずれかに記載の複連式混合弁装置。
【請求項５】
前記第１弁体と第２弁体は、逆向きに配置されていることを特徴とする請求項１から４のいずれかに記載の複連式混合弁装置。
【請求項６】
前記第１弁体の直上に前記第１流出口が設けられるとともに、前記第２弁体の直下に前記第２流出口が設けられていることを特徴とする請求項５に記載の複連式混合弁装置。
【請求項７】
前記水流入口と湯流入口は、逆向きに設けられていることを特徴とする請求項１から６のいずれかに記載の複連式混合弁装置。
【請求項８】
前記水流入口及び湯流入口は、共に前記第１弁体もしくは第１流出口と前記第２弁体もしくは第２流出口との間に設けられていることを特徴とする請求項５から７のいずれかに記載の複連式混合弁装置。
【請求項９】
前記管状水室及び管状湯室における前記第１弁体と前記水流入口もしくは湯流入口との間、及び／又は、前記管状水室及び管状湯室における前記第２弁体と前記水流入口もしくは湯流入口との間に前記逆止弁が装着されていることを特徴とする請求項８に記載の複連式混合弁装置。
【請求項１０】
前記第１弁体を回転駆動する第１モータ及び前記第２弁体を回転駆動する第２モータを備えていることを特徴とする請求項１から９のいずれかに記載の複連式混合弁装置。
【請求項１１】
前記水流入口、管状水室、湯流入口、管状湯室、第１及び第２流出口は一体に成形されていることを特徴とする請求項１から１０のいずれかに記載の複連式混合弁装置。
【請求項１２】
前記管状水室と管状湯室とが横並びに連設されてなる弁本体の上下方向一面側に、前記水流入口及び湯流入口のうちの一方、前記第１流出口及び第２流出口のうちの一方、並びに、前記第１弁体を回転駆動する第１モータ及び前記第２弁体を回転駆動する第２モータのうちの一方が垂設され、前記弁本体の上下方向他面側に、前記水流入口及び湯流入口のうちの他方、前記第１流出口及び第２流出口のうちの他方、並びに、前記第１弁体を回転駆動する第１モータ及び前記第２弁体を回転駆動する第２モータのうちの他方が垂設されていることを特徴とする請求項１から３のいずれかに記載の複連式混合弁装置。
【発明の詳細な説明】
【技術分野】
【０００１】
本発明は、水と湯を混合して所望温度の温水を得ることのできる混合弁装置に係り、特に、温水の供給先（用途）が複数箇所あり、かつ、その供給先毎に温水の温度を個別に調整することが要求される給湯システム等に使用するのに好適な複連式混合弁装置に関する。
【背景技術】
【０００２】
従来より、給湯システム等に使用される混合弁として、例えば下記特許文献１等にも見られるように、弁本体と、該弁本体内に回動可能に嵌挿された概略円筒状の弁体と、該弁体を回動させる駆動手段（ステッピングモータ）とを備え、前記弁本体に水流入口及び湯流入口が設けられるとともに、前記弁体の周壁部に、前記水流入口及び湯流入口の開口面積を連続的に変化させるべく一つないし複数の調整用開口部が設けられ、前記弁体を回動させることにより水と湯の混合比率、言い換えれば、導出される温水の温度を調整するようにされた混合弁が知られている。
【０００３】
このような混合弁が用いられる給湯システム、特に、例えば特許文献２に例示される如くに、温水の供給先（用途）が、例えば、風呂（浴室）、給湯（キッチン）、ルーム暖房等のように複数箇所あり、かつ、その供給先毎に温水の温度を個別に調整することが要求される給湯システムにおいては、前記した如くの混合弁をその供給先（用途）の数に合わせて複数個使用するようになっている。詳細には、かかる従来の給湯システムにおいては、例えば、ヒートポンプユニット等の加熱手段により給水（水道水）を所定温度に加熱してタンクに貯留しておく（所定温度に保つべく循環させる）ようにされ、このタンクの湯を配管を介して、風呂用、給湯用等の各混合弁の湯流入口に分配するとともに、給水（水道水）を配管を介して各混合弁の水流入口に分配し、各混合弁において所要温度の温水が得られるように水と湯の混合比率を調整して、その流出口から配管を介して必要部所に供給するようになっている。
【０００４】
なお、前記した如くの混合弁においては、特許文献１にも見られるように、逆流（漏れ）等を防止するため、前記水流入口や湯流入口に逆止弁を配置することが知られている。前記逆止弁としては、弁座と、該弁座に接離する弁体と、該弁体を保持する弁棒と、該弁棒が摺動自在に嵌挿される筒状ガイド部と、前記弁棒に保持された弁体を前記弁座に押し付ける方向に付勢する圧縮コイルばねからなる閉弁ばねとを備える量産品が通常は用いられる。この量産品の逆止弁は、上記部材の他、前記弁棒とは別体で、前記弁座、筒状ガイド部、及び閉弁ばねを保持する部材が必要とされ、この保持部材としては、前記水流入口や湯流入口が通常断面円形に形成されること等から、該水流入口（水室）や湯流入口（湯室）に嵌挿される円筒状ないし円形リング状部分を有するのが普通である。
【先行技術文献】
【特許文献】
【０００５】
【特許文献１】特開２０１１-２３６９８２号公報
【特許文献２】特開２００３-１７６９５３号公報
【発明の開示】
【発明が解決しようとする課題】
【０００６】
しかしながら、前記した従来の給湯システムにおいては、温水供給先（用途）の数に応じた個数の混合弁を必要とするとともに、各混合弁に湯と水をそれぞれ分配するための配管及び継手類が必要となるため、配管系の部品点数が多くなるとともに、その占有スペースも大きくなり、構成部材のレイアウトに大きな制約が課せられるとともに、設備コストが高くなるという問題があった。
【０００７】
また、通常単独で使用される混合弁をそのまま温水供給先（用途）の数に応じた個数分使用するようにされているので、配管系以外の、水と湯の混合に供せられる混合弁部分の総部品点数も多くなり、この点からも総コストが高くなる嫌いがあった。
【０００８】
さらに、この種の混合弁に逆流（漏れ）防止用の逆止弁を配置する場合、従来の量産品の逆止弁は、前記したように、弁座と、弁体付き弁棒と、該弁棒が摺動自在に嵌挿される筒状ガイド部と、閉弁ばねとに加えて、前記弁座、筒状ガイド部、及び閉弁ばねを保持する保持部材（通常は円筒状ないし円形リング状部分を有する）が必要とされるとともに、この保持部材を弁本体側に係止保持するために別途に係止部やストッパ等を設ける必要等があり、そのため、総じて、加工組立工数や部品点数が多くなって、弁コストが高くなる嫌いがあった。
【０００９】
本発明は、上記事情に鑑みてなされたもので、その目的とするところは、温水供給先（用途）が複数ある給湯システム等において配管類等を削減できて設備コストを低く抑えることができるとともに、通常の混合弁を複数個使用する場合に比して部品点数を削減でき、かつ、逆流（漏れ）防止用の逆止弁を配置するにあたり、加工組立工数や部品点数を削減することのできる複連式混合弁装置を提供することにある。
【課題を解決するための手段】
【００１０】
前記の目的を達成すべく、本発明に係る複連式混合弁装置は、基本的には、水流入口を有する管状水室及び湯流入口を有する管状湯室が横並びに連設されるとともに、前記管状水室と管状湯室との間に水と湯の混合比率を調整するためのロータリー式の第１弁体及び第２弁体がそれぞれ個別に回動可能に嵌挿され、かつ、前記第１弁体によりその温度が調整された温水を外部に送るための第１流出口と前記第２弁体によりその温度が調整された温水を外部に送るための第２流出口とが設けられるとともに、前記管状水室及び／又は管状湯室に逆止弁が配在され、前記逆止弁は、前記管状水室及び／又は管状湯室に配在された弁座と、該弁座に接離する弁体と、該弁体を保持する弁棒と、該弁棒が摺動自在に嵌挿される筒状ガイド部と、前記弁棒に保持された弁体を前記弁座に押し付ける方向に付勢する圧縮コイルばねからなる閉弁ばねと、を備え、前記管状水室及び／又は管状湯室の端部開口を閉塞する蓋状部材に前記逆止弁の筒状ガイド部とその支持部が一体的に設けられていることを特徴としている。
【００１１】
前記蓋状部材は、好ましくは、前記管状水室及び管状湯室の両方の端部開口を一緒に閉塞すべく２つの蓋部が一体に連設されており、該２つの蓋部にそれぞれ前記筒状ガイド部とその支持部が一体的に設けられる。
好ましい態様では、前記管状水室及び／又は管状湯室に、前記水流入口からの水又は前記湯流入口からの湯が流入する円筒状の弁室が形成され、該弁室の少なくとも一端部に前記逆止弁の弁座が設けられる。
前記管状水室と管状湯室は、好ましくは、共に直管状とされて相互に平行に配置される。
前記第１弁体と第２弁体は、好ましくは、逆向きに配置される。
【００１２】
他の好ましい態様では、前記第１弁体の直上に前記第１流出口が設けられるとともに、前記第２弁体の直下に前記第２流出口が設けられる。
前記水流入口と湯流入口は、好ましくは、逆向きに設けられる。
前記水流入口及び湯流入口は、好ましくは、共に前記第１弁体もしくは第１流出口と前記第２弁体もしくは第２流出口との間に設けられる。
【００１３】
他の好ましい態様では、前記管状水室及び管状湯室における前記第１弁体と前記水流入口もしくは湯流入口との間、及び／又は、前記管状水室及び管状湯室における前記第２弁体と前記水流入口もしくは湯流入口との間に前記逆止弁が装着される。
【００１４】
他の好ましい態様では、前記第１弁体を回転駆動する第１モータ及び前記第２弁体を回転駆動する第２モータを備える。
【００１５】
他の好ましい態様では、前記水流入口、管状水室、湯流入口、管状湯室、第１及び第２流出口は一体に成形される。
【００１６】
別の好ましい態様では、前記管状水室と管状湯室とが横並びに連設されてなる弁本体の上下方向一面側に、前記水流入口及び湯流入口のうちの一方、前記第１流出口及び第２流出口のうちの一方、並びに、前記第１弁体を回転駆動する第１モータ及び前記第２弁体を回転駆動する第２モータのうちの一方が垂設され、前記弁本体の上下方向他面側に、前記水流入口及び湯流入口のうちの他方、前記第１流出口及び第２流出口のうちの他方、並びに、前記第１弁体を回転駆動する第１モータ及び前記第２弁体を回転駆動する第２モータのうちの他方が垂設される。
【発明の効果】
【００１７】
本発明に係る複連式混合弁装置は、従来型の混合弁を２つ以上合わせた機能を持つ。すなわち、各混合弁に共通の、水流入口、管状水室、湯流入口、及び管状湯室を有し、それらに第１弁体、第１モータ、及び第１流出口を加えたものが一つの混合弁として働き、また、同様に、第２弁体、第２モータ、及び第２流出口を加えたものがもう一つの混合弁として働く。
【００１８】
したがって、本発明の複連式混合弁装置を、供給先毎に温水の温度を個別に調整することが要求される給湯システムに適用する場合は、水流入口に水用配管を接続し、湯流入口に湯用配管を接続し、各流出口には、それぞれ従来と同様に温水供給配管を接続すればよく、これにより、従来は湯用配管及び水用配管がそれぞれ複数本必要であったが、本発明の複連式混合弁装置が用いられた給湯システムでは、湯用配管及び水用配管がそれぞれ１本ずつで済む。このため、給湯システムにおける配管系の部品点数を削減できるとともに、コンパクトに纏めることができ、構成部材のレイアウト自由度が高められて、設備コストを低く抑えることができる。
【００１９】
また、従来は通常単独で使用される混合弁をそのまま温水供給先（用途）の数に応じた個数分使用するようにされているが、本発明の複連式混合弁装置では、水と湯の混合比率を任意に独立して変えることのできるロータリー式の弁体及びそれを回転駆動するモータを複数個備えているものの、水流入口、管状水室、湯流入口、管状湯室、隔壁部、弁体嵌挿部、複数個の流出口等は弁本体として一体に成形されるので、水と湯の混合に供せられる混合弁部分の総部品点数も削減でき、この点からもコストを抑えることができる。
【００２０】
また、本発明の構成によれば、通常は弁本体から突出した部分となる水流入口及び湯流入口、第１流出口及び第２流出口、第１弁体を回転駆動する第１モータ、第２弁体を回転駆動する第２モータ等の配置自由度を高くすることができ、そのため、例えば、弁本体の上下方向一面側と他面側に、それぞれ、水流入口及び湯流入口のうちの一方と他方、第１流出口及び第２流出口のうちの一方と他方、並びに、第１モータ及び第２モータのうちの一方と他方、を配置すること等ができる。その結果、複連式混合弁装置の小型化を図ることができるとともに、その占有スペースを小さくすることができ、設置場所に応じて、その上下等に配管接続用スペース等を容易に確保し得、給湯システムへの組み込み等の便宜を図ることができる。
【００２１】
上記に加え、本発明の複連式混合弁装置では、管状水室又は管状湯室の端部開口を閉塞する蓋状部材に、逆止弁の弁棒が摺動自在に嵌挿される筒状ガイド部とその支持部が一体的に設けられるので、蓋状部材が従来の量産品における保持部材とこの保持部材を弁本体側に係止保持するための係止部やストッパ等の役目を果たすことが可能となり、そのため、従来の量産品のように別途に保持部材を設ける必要はなく、また、管状水室及び管状湯室側（弁本体側）に、当該逆止弁を係止保持するための係止部やストッパ等を設ける必要がなくなり、その結果、加工組立工数や部品点数を削減できて、弁コストを低減することができる。
【図面の簡単な説明】
【００２２】
【図１】本発明に係る複連式混合弁装置の一実施例を示す斜視図。
【図２】本発明に係る複連式混合弁装置の一実施例を示す正面図。
【図３】本発明に係る複連式混合弁装置の一実施例を示す左側面図。
【図４】本発明に係る複連式混合弁装置の一実施例を示す右側面図。
【図５】本発明に係る複連式混合弁装置の一実施例を示す底面図。
【図６】図２のＡ-Ａ矢視断面図。
【図７】図２のＢ-Ｂ矢視断面図。
【図８】図２のＣ-Ｃ矢視断面図。
【図９】図２のＤ-Ｄ矢視断面図。
【図１０】図６のＥ-Ｅ矢視断面図であり、（Ａ）は逆止弁が閉状態を示す部分切欠断面図、（Ｂ）は逆止弁が開状態を示す部分切欠断面図。
【図１１】逆止弁と蓋状部材の組立体を示し、（Ａ）は前方斜視図、（Ｂ）は後方斜視図。
【発明を実施するための形態】
【００２３】
以下、本発明の複連式混合弁装置の実施の形態を図面を参照しながら説明する。
図１、図２、図３、図４、図５は、本発明に係る複連式混合弁装置の一実施例を示す斜視図、正面図、左側面図、右側面図、底面図である。図６は、図２のＡ-Ａ矢視断面図、図７から図９は、図２のＢ-Ｂ、Ｃ-Ｃ、Ｄ-Ｄの各矢視断面図である。なお、図６以降の断面図において、本発明の理解にさほど必要とはしない部分（ステッピングモータ５１、５２の内部等）は、その図示やハッチングを省略している。また、本明細書において、上下、左右、前後等の位置、方向を表わす記述は、図１の方向矢印表示を基準としており、実際の設置状態での位置、方向を指すものではない。
【００２４】
図示実施例の複連式混合弁装置１は、例えば、温水の供給先（用途）が、風呂（浴室、シャワー）と給湯（キッチン）のように２箇所あり、かつ、その供給先毎に温水の温度を個別に調整することが要求される給湯システムに使用されるもので、従来型の２つの混合弁の役割を担うもので、基本的には、水流入口２１を有する管状水室１１及び湯流入口２２を有する管状湯室１２が隔壁部１５（図６参照）を介して横並びに連設されてなる弁本体１０を備える。
【００２５】
管状水室１１と管状湯室１２は、共に同一径の直管状（断面円形）とされ、それらの中心線Ｑ１、Ｑ２が同一平面上に平行に配置されている。
【００２６】
前記水流入口２１及び湯流入口２２は、管状水室１１及び管状湯室１２の中心線Ｑ１、Ｑ２に対して直交するとともに、相互に逆向きに配置されている。詳しくは、水流入口２１は、弁本体１０の上面側で左右方向中央部付近に上向きに垂設され、その下部の半分程度が前記管状水室１１に開口せしめられている。一方、湯流入口２２は、弁本体１０の下面側で左右方向中央部付近に下向きに垂設され、その上部の半分程度が前記管状湯室１２に開口せしめられている。
【００２７】
弁本体１０の隔壁部１５の左端近くと右端近くには、図７に示される如くに、管状水室１１と管状湯室１２とに開口する窓１８、１８が形成された両面窓付き円筒面部からなる第１弁体嵌挿部１６と第２弁体嵌挿部１７が並設されている。
【００２８】
第１弁体嵌挿部１６と第２弁体嵌挿部１７には、ロータリー式の概略円筒状の第１弁体３１及び第２弁体３２がその周壁の一部を当該第１弁体嵌挿部１６及び第２弁体嵌挿部１７（の窓１８、１８）から管状水室１１及び管状湯室１２に露出させた状態で、それぞれ個別に回動可能に嵌挿されている。
【００２９】
第１弁体３１及び第２弁体３２は、この例においては基本構成が同じもので、図７、図９に示される如くに、それらの回転軸線Ｏ１、Ｏ２が管状水室１１及び管状湯室１２の中心線Ｑ１、Ｑ２に対して直交配置されるとともに、第１弁体３１と第２弁体３２は、逆向き、すなわち、第１弁体３１は逆立（上向き）、第２弁体３２は正立（下向き）で配在されている。
【００３０】
弁本体１０の下面側の左端近く（の筒状保持部２５）には第１弁体３１を回転駆動する第１モータ（ステッピングモータ）５１が弁本体１０に対して垂直に取り付けられ、弁本体１０の上面側の右端近く（の筒状保持部２５）には第２弁体３２を回転駆動する第２モータ（ステッピングモータ）５２が弁本体１０に対して垂直に取り付けられている。
【００３１】
次に、図９を参照しながら正立している第２弁体３２の方を代表して、弁体３１、３２の構成を説明する。
【００３２】
弁体３２（３１）の天井部付き周壁部３３には、管状水室１１及び管状湯室１２（窓１８、１８）に対する開口面積を連続的に変化させるべく概略楕円形の調整用開口部３４が設けられ、前記弁体３２（３１）をモータ５２（５１）で回動させることにより水と湯の混合比率、言い換えれば、導出される温水の温度を調整するようにされている。
【００３３】
弁体３２の周壁部３３の天井部の上面中央には、軸部３５が突設されている。この軸部３５は、第２弁体嵌挿部１７上に設けられた段差部付き筒状保持部２５に挿入されてクリップ状係止具２９で保持された支持部材２６に回動可能に嵌挿されている。この軸部３５の下部にはＯリングが装着され、その上部には、弁体３２の回転は許容するが下方への抜けを阻止する弁体係止具としてのクリップ２７が装着され、さらにその上には、モータ５２のロータ（の軸）と一体回転可能に連結するためのスプライン軸部３６（スプラインは図示省略）及び非円形断面（Ｄカット形状等）の凸部３７が設けられている。
【００３４】
一方、弁本体１０の上面側（第１弁体３１の直上）には、第１弁体３１によりその温度が調整された温水を第１供給先（例えば風呂）に送るための第１流出口４１が垂設され、弁本体１０の下面側（第２弁体３２の直下）には、第２弁体３２によりその温度が調整された温水を第２供給先（例えばキッチン）に送るための第２流出口４２が垂設されている。
【００３５】
また、前記管状水室１１及び管状湯室１２の左右端部には、それぞれ管状水室１１及び管状湯室１２の両方の端部開口を一緒に閉塞する蓋状部材７０、７０が取り付けられている。
【００３６】
蓋状部材７０は、管状水室１１及び管状湯室１２の端部開口をそれぞれ閉塞する断面凹字状の２つの蓋部７２、７２と、該蓋部７２と蓋部７２の間に設けられ、前記隔壁部１５の端部に対面する中央部７４と、を有する側面視概略レーストラック形とされ、この蓋状部材７０は、両端に突設された耳状ねじ止め部７６、７６と中央部７４の上下が止めねじ７７で弁本体１０に取り付けられている。また、蓋部７２の外周と管状水室１１（管状湯室１２）の端部内周面との間にはＯリング７５が装着されている。
【００３７】
上記に加え、各蓋部７２の内方部には、後述する逆止弁８０の筒状ガイド部８６とその支持部であるU字状支持片部７８が一体に立設されている。逆止弁８０、筒状ガイド部８６、U字状支持片部７８については後で詳述する。
【００３８】
一方、本実施例の複連式混合弁装置１では、前記した水流入口２１、管状水室１１、湯流入口２２、管状湯室１２、隔壁部１５、第１及び第２弁体嵌挿部１６、１７、並びに、第１及び第２流出口４１、４２は、合成樹脂材料を素材として一体に成形されている。
【００３９】
また、管状水室１１と管状湯室１２とが横並びに連設されてなる弁本体１０の上下方向一面側（上面側）に、水流入口２１、第１流出口４１、並びに、第２弁体を回転駆動する第２モータ５２が垂設され、弁本体１０の上下方向他面側（下面側）に、湯流入口２２、第２流出口４２、並びに、第１弁体３１を回転駆動する第１モータ５１が垂設されている。
【００４０】
一方、管状水室１１及び管状湯室１２における第１弁体３１と水流入口２１及び湯流入口２２との間、並びに、管状水室１１及び管状湯室１２における第２弁体３２と水流入口２１及び湯流入口２２との間（計４箇所）には、管状湯室１２側からの湯水の水流入口２１側への逆流（漏出）、及び、管状水室１１側からの湯水の湯流入口２２側への逆流（漏出）を防止すべく逆止弁８０が配在されている。
【００４１】
各逆止弁８０は同一構成であるので、以下、管状水室１１の左側（第１弁体３１側）に配在されている逆止弁８０を代表して説明する（図６、図１０、図１１参照）。
【００４２】
図示の逆止弁８０は、管状水室１１（弁本体１０）に一体に設けられた弁座８２（後述）と、この弁座８２に接離するゴム製シール材（パッキン）からなる弁体８３と、該弁体８３を保持すべく、弁体抜け止め用の頭部８５ａ、弁体受け部８５ｂ、及び円柱状の胴部８５ｃを有する弁棒８５と、弁棒８５の胴部８５ｃが摺動自在に嵌挿される筒状ガイド部８６と、弁棒８５に保持された弁体８３を弁座８２に押し付ける方向（閉弁方向）に付勢する圧縮コイルばねからなる閉弁ばね８８とを備える。
【００４３】
ここで、管状水室１１（管状湯室１２）には、水流入口２１からの水（湯流入口２２からの湯）が流入する円筒状の弁室１３が同心二重管を形成するように一体に設けられ、弁室１３の両端部には、前記弁体８３が接離する円環状の前記弁座８２が設けられている。
【００４４】
また、筒状ガイド部８６は、前記したように蓋状部材７０に立設されたU字状支持片部７８の前端部に一体に設けられている。U字状支持片部７８の底辺部は、ばね受け部７９となっており、このばね受け部７９と弁棒８５の弁体受け部８５ｂとの間に、前記閉弁ばね８８が縮装されている。また、弁棒８５の反弁体側の端部（下端部）には、弁棒８５が筒状ガイド部８６から抜けないようにすべく、抜け止め具８７が後付けで固定されている。また、弁棒８５の最大下降位置は、図１１（Ｂ）に示される如くに、弁体受け部８５ｂが筒状ガイド部８６に当接係止される位置となっており、言い換えれば、筒状ガイド部８６はストッパの役目も果たす。
【００４５】
かかる構成の逆止弁８０を弁本体１０に組み込むにあたっては、蓋部７２にＯリング７５を装着するとともに、閉弁ばね８８を弁棒８５（の胴部８５c）周りに外挿して、弁棒８５（の胴部８５c）を筒状ガイド部８６に挿入し、弁棒８５を閉弁ばね８８の付勢力に抗してその下端が筒状ガイド部８６より下側（U字状支持片部７８側）に若干突出するまで押し下げ、この状態で弁棒８５の下端部に抜け止め具８７を超音波溶着、接着剤、螺合等の適宜の手法で固着する。その後、押し下げ状態を解除すれば、抜け止め具８７がばね受け部７９の下面側に接当係止される。
【００４６】
蓋状部材７０のもう一方の蓋部７２にも同様にして弁棒８５を組み付ければ、蓋部材７０と２つの逆止弁８０（弁棒８５）との蓋弁組立体が出来上がり、この蓋弁組立体を、管状水室１１及び管状湯室１２の両方の端部開口を閉塞するように挿入し、蓋状部材７０を押して、弁体８３が弁座８２に押し付けられる状態にして、蓋状部材７０を止めねじ７７で弁本体１０に締付固定すると、弁本体１０に逆止弁８０と蓋状部材７０とが一緒に組み付けられる。
【００４７】
本実施例の複連式混合弁装置１において、前記した構成を有する弁体３１、３２は、図１においてＭ１、Ｍ２で示される湯水混合部を構成し、弁体３１、３２をモータ５１、５２によりそれぞれ適宜の角度回動させることにより、管状水室１１内の水と管状湯室１２内の湯とが所望の比率で混合され、それによって、流出口４１、４２から供給先に送られる温水の温度が個別に調整されることになる。
【００４８】
すなわち、本実施例の複連式混合弁装置１は、従来型の混合弁を２つ合わせた機能を持つ。詳しくは、２つの混合弁に共通の、水流入口２１、管状水室１１、湯流入口２２、及び管状湯室１２を有し、それらに第１弁体３１、第１モータ５１、及び第１流出口４１を加えたものが一つの混合弁として働き、また、同様に、第２弁体３２、第２モータ５２、及び第２流出口４２を加えたものがもう一つの混合弁として働く。
【００４９】
このような構成とされた本実施例の複連式混合弁装置１では、供給先毎に温水の温度を個別に調整することが要求される給湯システムに適用する場合は、水流入口２１に水用配管を接続し、湯流入口２２に湯用配管を接続し、各流出口４１、４２には、それぞれ従来と同様に温水供給配管を接続すればよい。したがって、従来は湯用配管及び水用配管がそれぞれ複数本必要であったが、本実施例の複連式混合弁装置が用いられた給湯システムでは、湯用配管及び水用配管がそれぞれ１本ずつで済む。このため、給湯システムにおける配管系の部品点数を削減できるとともに、コンパクトに纏めることができ、構成部材のレイアウト自由度が高められて、設備コストを低く抑えることができる。
【００５０】
また、従来は通常単独で使用される混合弁をそのまま温水供給先（用途）の数に応じた個数分使用するようにされているが、本実施例の複連式混合弁装置１では、水と湯の混合比率を任意に独立して変えることのできるロータリー式の弁体及びそれを回転駆動するモータを複数個備えているものの、水流入口、管状水室、湯流入口、管状湯室、隔壁部、弁体嵌挿部、複数個の流出口等は弁本体として一体に成形されるので、水と湯の混合に供せられる混合弁として機能する部分の総部品点数も削減でき、この点からもコストを抑えることができる。
【００５１】
さらに、本発明構成によれば、通常は弁本体１０から突出した部分となる水流入口２１及び湯流入口２２、第１流出口４１及び第２流出口４２、第１弁体を回転駆動する第１モータ５１及び第２弁体を回転駆動する第２モータ５２等の配置自由度を高くすることができるので、上記実施例のように、弁本体１０の上下方向一面側（上面側）に、水流入口２１、第１流出口４１、並びに、第２弁体を回転駆動する第２モータ５２を垂設し、弁本体１０の上下方向他面側（下面側）に、湯流入口２２、第２流出口４２、並びに、第１弁体３１を回転駆動する第１モータ５１を垂設することができ、その結果、複連式混合弁装置の小型化を一層図ることができるとともに、その占有スペースをさらに小さくすることができ、設置場所に応じて、その上下等に配管接続用スペース等を容易に確保し得、給湯システムへの組み込み等の便宜を図ることができる。
【００５２】
上記に加え、本実施例の複連式混合弁装置１では、弁本体１０側（円筒状の弁室１３）に弁座８２が設けられるとともに、管状水室１１及び管状湯室１２の端部開口を閉塞する蓋状部材７０に、逆止弁８０の弁棒６５が摺動自在に嵌挿される筒状ガイド部８６とその支持部であるU字状支持片部７８が一体的に設けられるので、蓋状部材７０が従来の量産品における保持部材とこの保持部材を弁本体側に係止保持するための係止部やストッパ等の役目を果たすことが可能となり、そのため、従来の量産品のように別途に保持部材を設ける必要はなく、また、管状水室１１及び管状湯室１２側（弁本体１０側）に、当該逆止弁を係止保持するための係止部やストッパ等を別途に設ける必要がなくなり、その結果、加工組立工数や部品点数を削減できて、弁コストを低減することができる。
【００５３】
なお、上記実施例では、ロータリー式の弁体を２個使用して従来型の２つの混合弁の機能を達成するもの、つまり温水供給先が２カ所ある場合の複連式混合弁装置を例示したが、温水供給先が３カ所以上必要とされる場合には、その温水供給先の数に応じて弁体、モータ、流出口の個数を増やせばよく、この場合も本発明を上記実施例と同様に適用できる。
【００５４】
また、蓋状部材７０として管状水室１１と管状湯室１２の両方を閉塞するもの（蓋部７２や筒状ガイド部を２つ持つもの）を例示したが、蓋状部材は、管状水室１１及び管状湯室１２を片方ずつ閉塞するものでもよいことは勿論である。
【００５５】
加えて、上記実施例では、第１弁体３１と第２弁体３２とが逆向きに配置されているが、本発明はこれに限定されることはなく、第１弁体３１と第２弁体３２とを同じ向きに配置し、第１流出口４１及び第２流出口４２をそれぞれ同じ方向に開口させるようにしてもよい。
【００５６】
また、上記実施例では、管状水室１１と管状湯室１２とは、それらの中心線Ｑ１、Ｑ２が同一平面上に平行に配置されているが、これに限定される訳ではなく、それらを同一平面上に非平行に配置してもよく、さらに、中心線Ｑ１、Ｑ２がねじれの位置となるように、管状水室１１と管状湯室１２とを配置してもよい。
【００５７】
さらに、上記実施例では、第１弁体３１と第２弁体３２は、基本構成が同じものが用いられているが、それらを異なる大きさ、形状としてもよいことは当然である。
【００５８】
さらにまた、本発明は、略述すれば、逆止弁（８０）の筒状ガイド部（８６）とその支持部（７８）を管状の室（１１、１２）の端部開口を閉塞する蓋状部材（７０）に一体的に設けることにより、加工組立工数や部品点数を削減したことを要旨（特徴）としており、従って、本発明は、逆止弁が配在される管状の室を持つ混合弁装置であれば、いかなるものにも同様に適用可能である。
【符号の説明】
【００５９】
１・・・・複連式混合弁装置
１０・・・弁本体
１１・・・管状水室
１２・・・管状湯室
１５・・・隔壁部
１６・・・第１弁体嵌挿部
１７・・・第２弁体嵌挿部
２１・・・水流入口
２２・・・湯流入口
３１・・・第１弁体
３２・・・第２弁体
３３・・・周壁部
３４・・・調整用開口部
４１・・・第１流出口
４２・・・第２流出口
５１・・・第１モータ
５２・・・第２モータ
７０・・・蓋状部材
７２・・・蓋部
７８・・・U字状支持片部
８０・・・逆止弁
８２・・・弁座
８３・・・弁体
８５・・・弁棒
８６・・・筒状ガイド部
８７・・・抜けどめ具
８８・・・閉弁ばね
【図１】
2014077516.tif 000003
【図２】
2014077516.tif 000004
【図３】
2014077516.tif 000005
【図４】
2014077516.tif 000006
【図５】
2014077516.tif 000007
【図６】
2014077516.tif 000008
【図７】
2014077516.tif 000009
【図８】
2014077516.tif 000010
【図９】
2014077516.tif 000011
【図１０】
2014077516.tif 000012
【図１１】
2014077516.tif 000013